(57)【要約】【課題】セキュリティや安全性が低下するという問題を解決すること。【解決手段】本発明の情報処理システムは、人物の生体情報を記憶した登録リストと、カメラにて撮影した撮影画像から特定行動の人物を検出する検出手段と、検出された特定行動の人物の生体情報を撮影画像から抽出し、当該抽出した生体情報の登録リストに対する登録状況に応じて、検出された特定行動の人物から他の生体情報を抽出して登録リストに登録するよう処理する制御手段と、を備える。【選択図】図１０
2019087932.tif 000002
【特許請求の範囲】
【請求項１】
人物の生体情報を記憶した登録リストと、
カメラにて撮影した撮影画像から特定行動の人物を検出する検出手段と、
検出された特定行動の人物の生体情報を前記撮影画像から抽出し、当該抽出した生体情報の前記登録リストに対する登録状況に応じて、検出された特定行動の人物から他の生体情報を抽出して前記登録リストに登録する処理を行う制御手段と、
を備えた情報処理システム。
【請求項２】
請求項１に記載の情報処理システムであって、
前記制御手段は、検出された特定行動の人物から前記登録リストと照合するための第１の生体情報を抽出できなかった場合に、検出した特定行動の人物から前記第１の生体情報とは異なる第２の生体情報を抽出して当該第２の生体情報を前記登録リストに登録する、
情報処理システム。
【請求項３】
請求項１又は２に記載の情報処理システムであって、
前記登録リストは、第１の登録リストと第２の登録リストとを有し、
前記制御手段は、
検出された特定行動の人物から抽出した前記第１の生体情報が前記第１の登録リストに登録されていない場合に、検出された特定行動の人物から前記第１の生体情報とは異なる第２の生体情報を抽出して当該第２の生体情報を前記第２の登録リストに登録する、
情報処理システム。
【請求項４】
請求項３に記載の情報処理システムであって、
前記制御手段は、前記撮影画像から人物の前記第１の生体情報及び前記第２の生体情報を抽出し、前記第１の生体情報あるいは前記第２の生体情報が前記第２の登録リストに登録されている場合に、所定のアラート処理を行う、
情報処理システム。
【請求項５】
請求項３又は４に記載の情報処理システムであって、
前記制御手段は、前記第１の生体情報として、人物の顔画像に基づく特徴量を抽出し、前記第２の生体情報として、人物の顔画像に基づく特徴量とは異なる生体情報を抽出する、
情報処理システム。
【請求項６】
請求項３乃至５のいずれかに記載の情報処理システムであって、
前記制御手段は、検出された特定行動の人物から抽出した生体情報が前記第１の登録リストに登録されている場合に、当該人物の要求行為に対して拒否を行うよう所定の制御を行う、
情報処理システム。
【請求項７】
請求項６に記載の情報処理システムであって、
前記制御手段は、検出された特定行動の人物から抽出した生体情報が前記第１の登録リストに登録されている場合に、当該人物の生体情報を前記第１の登録リストから削除して前記第２の登録リストに登録する、
情報処理システム。
【請求項８】
請求項６又は７に記載の情報処理システムであって、
前記制御手段は、検出された特定行動の人物から抽出した生体情報が前記第１の登録リストに登録されている場合に、当該人物に関連付けられた権限を無効とする制御を行う、
情報処理システム。
【請求項９】
情報処理装置に、
カメラにて撮影した撮影画像から特定行動の人物を検出する検出手段と、
検出された特定行動の人物の生体情報を前記撮影画像から抽出し、当該抽出した生体情報の前記登録リストに対する登録状況に応じて、検出された特定行動の人物から他の生体情報を抽出して前記登録リストに登録する処理を行う制御手段と、
を実現させるためのプログラム。
【請求項１０】
請求項９に記載のプログラムであって、
前記制御手段は、検出された特定行動の人物から前記登録リストと照合するための第１の生体情報を抽出できなかった場合に、検出した特定行動の人物から前記第１の生体情報とは異なる第２の生体情報を抽出して当該第２の生体情報を前記登録リストに登録する、
プログラム。
【請求項１１】
人体の生体情報を記憶した登録リストを有する情報処理装置が、
カメラにて撮影した撮影画像から特定行動の人物を検出し、
検出された特定行動の人物の生体情報を前記撮影画像から抽出し、当該抽出した生体情報の前記登録リストに対する登録状況に応じて、検出された特定行動の人物から他の生体情報を抽出して前記登録リストに登録する処理を行う、
制御方法。
【請求項１２】
請求項１１に記載の制御方法であって、
検出された特定行動の人物から前記登録リストと照合するための第１の生体情報を抽出できなかった場合に、検出した特定行動の人物から前記第１の生体情報とは異なる第２の生体情報を抽出して当該第２の生体情報を前記登録リストに登録する、
制御方法。
【請求項１３】
請求項１１又は１２に記載の制御方法であって、
前記登録リストは、第１の登録リストと第２の登録リストとを有し、
検出された特定行動の人物から抽出した前記第１の生体情報が前記第１の登録リストに登録されていない場合に、検出された特定行動の人物から前記第１の生体情報とは異なる第２の生体情報を抽出して当該第２の生体情報を前記第２の登録リストに登録する、
制御方法。
【発明の詳細な説明】
【技術分野】
【０００１】
本発明は、情報処理システムにかかり、特に、不審人物を監視する情報処理システムに関する。
【背景技術】
【０００２】
セキュリティの確保が求められる建築物・敷地といったエリアや、安全性の確保が求められる街中では、監視カメラを設置して、不審者の監視が行われている。例えば、特許文献１，２では、監視カメラの画像から不審行動の人物を検知し、不審行動を行った人物の顔情報がブラックリストに登録されていた場合に、アラームや位置情報を出力する、という技術が開示されている。
【先行技術文献】
【特許文献】
【０００３】
【特許文献１】特開２００９−２４６７９９号公報
【特許文献２】国際公開第ＷＯ２０１７／０２９７１８号
【発明の概要】
【発明が解決しようとする課題】
【０００４】
ところが、上述した技術では、監視カメラに映る人物がブラックリストに登録されている場合にかかる人物を不審者として扱うだけであって、登録されていない人物については対応していない。すると、ブラックリストに登録されていない人物や、逆にホワイトリストに登録されている人物については、不審行動を取ったとしても適切な対応を取ることができない。また、不審行動人物に対して照合に適切な画像が取得できない場合には、かかる人物に対するその後の行動に対して適切な対応を取ることができない。このため、セキュリティや安全性が低下する、という問題が生じる。
【０００５】
このため、本発明の目的は、セキュリティや安全性が低下するという問題を解決することができる情報処理システムを提供することにある。
【課題を解決するための手段】
【０００６】
本発明の一形態である情報処理システムは、
人物の生体情報を記憶した登録リストと、
カメラにて撮影した撮影画像から特定行動の人物を検出する検出手段と、
検出された特定行動の人物の生体情報を前記撮影画像から抽出し、当該抽出した生体情報の前記登録リストに対する登録状況に応じて、検出された特定行動の人物から他の生体情報を抽出して前記登録リストに登録する処理を行う制御手段と、
を備えた、
という構成をとる。
【０００７】
本発明の一形態であるプログラムは、
情報処理装置に、
カメラにて撮影した撮影画像から特定行動の人物を検出する検出手段と、
検出された特定行動の人物の生体情報を前記撮影画像から抽出し、当該抽出した生体情報の前記登録リストに対する登録状況に応じて、検出された特定行動の人物から他の生体情報を抽出して前記登録リストに登録する処理を行う制御手段と、
を実現させる、
という構成をとる。
【０００８】
本発明の一形態である制御方法は、
人体の生体情報を記憶した登録リストを有する情報処理装置が、
カメラにて撮影した撮影画像から特定行動の人物を検出し、
検出された特定行動の人物の生体情報を前記撮影画像から抽出し、当該抽出した生体情報の前記登録リストに対する登録状況に応じて、検出された特定行動の人物から他の生体情報を抽出して前記登録リストに登録する処理を行う、
という構成をとる。
【発明の効果】
【０００９】
本発明は、以上のように構成されることにより、不審行動を行った人物のさらなる行動を迅速に抑止することができ、セキュリティや安全性の向上を図ることができる。
【図面の簡単な説明】
【００１０】
【図１】本発明の実施形態１における情報処理システムの構成を示すブロック図である。
【図２】図１に開示した制御サーバの構成を示すブロック図である。
【図３】図１に開示した制御サーバの動作を示すフローチャートである。
【図４】図１に開示した制御サーバの動作を示すフローチャートである。
【図５】本発明の実施形態２における情報処理システムの構成を示すブロック図である。
【図６】図５に開示した制御サーバの構成を示すブロック図である。
【図７】図５に開示した制御サーバの動作を示すフローチャートである。
【図８】図５に開示した制御サーバの動作を示すフローチャートである。
【図９】本発明の実施形態３における情報処理システムの動作を示すフローチャートである。
【図１０】本発明の実施形態４における情報処理システムの構成を示すブロック図である。
【発明を実施するための形態】
【００１１】
＜実施形態１＞
本発明の第１の実施形態を、図１乃至図４を参照して説明する。図１乃至２は、情報処理システムの構成を説明するための図である。図３乃至図４は、情報処理システムの動作を説明するための図である。
【００１２】
［構成］
本発明における情報処理システムは、データセンターやオフィス、イベント会場など、セキュリティの確保や安全性が求められる場所において人物を監視し、当該不審行動を検出した場合にかかる人物のさらなる行動を迅速に抑止するためのシステムである。なお、本発明においては、セキュリティの確保が求められる領域にゲートが設置されている場合に、その周囲に位置する領域を監視対象となる特定エリアＡとする。そして、本発明において不審行動とは、例えば、うろつき、警戒区域への侵入、物の置き去り、といった行動であることとする。但し、上述した特定エリアや不審行動とは一例であって、上述した内容に限定されない。
【００１３】
図１に示すように、情報処理システムは、特定エリアＡを監視するために撮影する監視カメラＣ１と、制御サーバ１と、所定領域への入退口である認証ゲートＧと、かかる認証ゲートＧを通過する人物を認証用に撮影する認証カメラＣ２と、を備える。以下、各構成について詳述する。
【００１４】
上記制御サーバ１は、演算装置や記憶装置を備えた、１台又は複数台の情報処理装置にて構成されている。そして、制御サーバ１は、図２に示すように、演算装置がプログラムを実行することで構築された、検出部１１（検出手段）、制御部１２（制御手段）、認証部１３を備えている。また、制御サーバ１は、記憶装置に形成された登録リスト１５を備えている。
【００１５】
上記登録リスト１５は、予め要注意人物として設定された人物の顔画像情報を登録している、いわゆるブラックリストである。登録された顔画像情報は、顔画像そのものであってもよく、当該顔画像から抽出された特徴量であってもよい。なお、登録リスト１５に登録される不審者の情報は、顔画像情報であることに限定されず、他の身体の特徴を表す生体情報であってもよい。
【００１６】
上記検出部１１は、特定エリアＡを撮影範囲として撮影した撮影画像から、特定行動の人物を検出する。具体的に、検出部１１は、一例として、撮影画像内の人物を抽出する。例えば、映像画像内から動く物体を検出し、その輪郭や色などから人物を検出する。そして、検出部１１は、抽出した人物の移動軌跡を抽出し、当該移動軌跡を解析することにより予め登録された不審行動（特定行動）をしている人物を検出する。不審行動とは、例えば、ある領域内に一定時間留まったり往復移動するなどのうろつく行動、予め設定された侵入禁止区域に侵入する行動、物の置き去る行動、といった行動である。かかる行動は、人物の移動軌跡や人物及び周囲の物体を検出することで、既存技術により検出することが可能である。そして、検出部１１は、不審行動の人物を検出すると、その撮影画像を制御部１２に渡す。
【００１７】
上記制御部１２は、不審行動の人物の撮影画像を取得すると、かかる撮影画像から人物の顔画像を抽出し、当該顔画像の特徴量を抽出する。そして、制御部１２は、抽出した顔画像が、ブラックリストである登録リスト１５内の顔画像と一致するか否かを判定する。なお、顔画像が一致するか否かの判定は、例えば、各顔画像から抽出した特徴量の類似度といったスコアを算出し、かかるスコアがしきい値よりも高い場合に、顔画像が一致すると判定する。なお、顔画像が一致するか否かの判定処理はいかなる方法で行われてもよい。
【００１８】
制御部１２は、不審行動の人物の顔画像が登録リスト１５に登録されていると判定すると、かかる人物の要求行為に対する拒否設定を行う。この場合は、認証ゲートＧの通過を拒否するよう設定する。例えば、登録リスト１５に登録されている顔画像に、ゲート通過拒否の情報を付与する。
【００１９】
上記認証部１３は、認証ゲートＧ付近に設置された認証カメラＣ２にてゲートに向かう人物の顔画像を撮影し、かかる顔画像が事前に登録されているか否かの認証を行って、認証ゲートＧの開閉を行う。このとき、認証部１３は、認証カメラＣ２にて撮影した顔画像が、ブラックリストである登録リスト１５内の顔画像と一致するか否か、を判定する。特に、認証部１３は、登録リスト１５内の顔画像のうち、ゲート通過拒否の情報が付与された顔画像と、撮影した顔画像と、が一致するか否かを判定する。なお、顔画像が一致するか否かの判定は、上述同様に、例えば、各顔画像から抽出した特徴量の類似度といったスコアを算出し、かかるスコアがしきい値よりも高い場合に、顔画像が一致すると判定する。
【００２０】
そして、認証部１３は、撮影した顔画像が、ゲート通過拒否の情報が付与された顔画像と一致する場合には、かかる人物の通過を拒否するよう、認証ゲートＧを開けずに閉じたままとする。つまり、認証部１３は、撮影した顔画像の人物が、仮に認証ゲートＧを通過する権限を有していたとしても、登録リスト１５内でゲート通過拒否と設定されている場合には、認証ゲートＧを閉じたままとする。これにより、該当する人物は、認証ゲートＧを通過することができず、所定領域への入場や所定領域からの退場が拒否されることとなる。
【００２１】
なお、認証部１３は、撮影した顔画像が、ゲート通過拒否の情報が付与された顔画像と一致する場合には、かかる人物に対する認証処理が失敗したと判断して、その旨を出力してもよい。このようにすることで、人物に対して当該人物が警戒されていることを隠すことができる。
【００２２】
［動作］
次に、上述した制御サーバ１の動作を、図３乃至図４のフローチャートを参照して説明する。
【００２３】
まず、制御サーバ１は、監視カメラＣ１にて撮影された撮影画像を解析して、不審行動の人物を検出する（ステップＳ１）。制御サーバ１は不審行動の人物を検出すると（ステップＳ２でＹｅｓ）、当該人物の顔領域を特定し、顔画像の特徴量を抽出する（ステップＳ３）。
【００２４】
続いて、制御サーバ１は、不審行動の人物の顔画像の特徴量から、当該人物の顔画像がブラックリストである登録リスト１５に登録されているか否かを判定する（ステップＳ４）。登録リスト１５に登録がある場合には（ステップＳ４でＹｅｓ）、登録リスト１５内で一致する顔画像に対して、認証ゲートＧに対するゲート通過拒否の情報を付与する（ステップＳ５）。併せて、事前に設定された装置に対して不審行動の人物が存在していたことのアラートを出力する（ステップＳ６）。
【００２５】
一方で、認証ゲートＧでは、認証カメラＣ２にてゲートに向かう人物の顔画像を撮影し、かかる顔画像を解析して事前に登録されているか否かの認証を行っている（ステップＳ１１）。このとき、制御サーバ１は、認証カメラＣ２にて撮影した顔画像の特徴量を抽出し（ステップＳ１２）、登録リスト１５内でゲート通過拒否の情報が付与された顔画像と一致するか否か、を判定する（ステップＳ１３）。そして、制御サーバ１は、撮影した顔画像が、ゲート通過拒否の情報が付与された顔画像と一致する場合には（ステップＳ１３でＹｅｓ）、かかる人物の通過を拒否するよう、認証ゲートＧを開かずにロックする（ステップＳ１４）。
【００２６】
なお、上記では、不審行動の人物が認証ゲートＧの通過を拒否する場合を例示したが、不審行動の人物に対するいかなる要求行為を拒否するような制御を行ってもよい。例えば、エレベーターの監視カメラにて登録リスト１５内で拒否設定が付与された人物を検出したときに、エレベーターの操作ボタンを無効とするような制御を行ってもよい。
【００２７】
また、上記では、顔画像を用いて人物の一致を判定しているが、人物の他の部位の生体情報を用いて、登録リスト内の人物との一致を判定してもよい。
【００２８】
以上のように、本発明によると、不審行動の人物が予め用意された登録リストに登録されている場合には、かかる人物に対してゲート通過を拒否するよう制御するなど、かかる人物による要求行為に対して拒否を行う。これにより、不審行動を行った人物のさらなる行動を迅速に抑止することができ、セキュリティや安全性の向上を図ることができる。
【００２９】
ここで、上記では、登録リスト１５がブラックリストである場合を例示したが、登録リスト１５は、ある権限が有効である人物の顔画像などの生体情報が記憶されたホワイトリストであってもよい。例えば、ホワイトリストの人物に与えられる権限は、認証ゲートＧの通過許可であってもよい。この場合であっても、制御部１２は、不審行動の人物の顔画像がホワイトリストである登録リスト１５に登録されていると判定すると、かかる人物の要求行為に対する拒否設定を行う。つまり、ホワイトリストである登録リスト１５に登録されている顔画像に、ゲート通過拒否の情報を付与して、認証ゲートＧを通過する権限を無効とする。
【００３０】
すると、上記認証部１３は、認証カメラＣ２にて撮影した顔画像が、ホワイトリストである登録リスト１５内のうち、ゲート通過拒否の情報が付与された顔画像と一致する場合には、かかる人物に対して人物の通過を拒否するよう、認証ゲートＧを開かずに閉じたままとする。つまり、認証部１３は、撮影した顔画像の人物が、仮に認証ゲートＧを通過する権限を有するホワイトリストに登録されていたとしても、登録リスト１５内でゲート通過拒否と設定されている場合には、認証ゲートＧを閉じたままとする。これにより、該当する人物は、認証ゲートＧを通過して、所定領域への入場や所定領域からの退場が拒否されることとなる。
【００３１】
＜実施形態２＞
次に、本発明の第２の実施形態を、図５乃至図８を参照して説明する。図５乃至６は、情報処理システムの構成を説明するための図である。図７乃至図８は、情報処理システムの動作を説明するための図である。
【００３２】
［構成］
本発明における情報処理システムは、上述した実施形態１におけるシステムとほぼ同様の構成である。但し、本実施形態では、登録リストの構成や、登録リストに対する処理が異なっていたり、認証ゲートＧによる認証方法が異なる。以下、主に異なる構成について詳述する。
【００３３】
図５に示すように、情報処理システムは、特定エリアＡを監視する監視カメラＣ１と、制御サーバ１と、所定領域への入退口である認証ゲートＧと、かかる認証ゲートＧを通過する人物の認証カードＤを読み取るカードリーダＲと、を備える。以下、各構成について詳述する。
【００３４】
上記制御サーバ１は、実施形態１とほぼ同様の構成を有しており、図６に示すように、演算装置がプログラムを実行することで構築された、検出部１１（検出手段）、制御部１２（制御手段）、認証部１３を備えている。また、制御サーバ１は、記憶装置に形成された、ブラックリストを登録する登録リスト１５（第２の登録リスト）と、ホワイトリストを登録する登録リスト１６（第１の登録リスト）と、を備えている。
【００３５】
上記登録リストのうちブラックリスト１５は、予め要注意人物として認定された人物の顔画像情報を、当該人物の識別情報と共に登録している。一方、登録リストのうちホワイトリスト１６は、認証ゲートＧを通過する権限や、他の装置やシステムに関する何らかの権限を有する人物の顔画像情報を、当該人物の識別情報と共に登録している。ここで、登録された顔画像情報は、顔画像そのものであってもよく、当該顔画像から抽出された特徴量であってもよい。なお、登録リスト１５，１６に登録される人物の情報は、顔画像情報であることに限定されず、他の身体の特徴を表す生体情報であってもよい。
【００３６】
上記検出部１１は、実施形態１と同様に、特定エリアＡを撮影範囲として撮影した撮影画像から、特定行動の人物を検出する。そして、検出部１１は、不審行動の人物を検出すると、その撮影画像を制御部１２に渡す。
【００３７】
上記制御部１２は、不審行動の人物の撮影画像を取得すると、かかる撮影画像から人物の顔画像を抽出し、当該顔画像の特徴量を抽出する。そして、制御部１２は、抽出した顔画像が、ブラックリスト１５内の顔画像と一致するか否か、及び、ホワイトリスト１６内の顔画像と一致するか否か、を判定する。なお、顔画像が一致するか否かの判定は、実施形態１と同様の方法で行われてもよく、いかなる方法で行われてもよい。
【００３８】
制御部１２は、不審行動の人物の顔画像が、ホワイトリスト１６に登録されていると判定すると、かかる人物の顔画像をホワイトリスト１６内から削除すると共に、ブラックリスト１５に登録する。このとき、ブラックリスト１５に登録すると同時に、かかる人物の要求行為に対する拒否設定を行う。この場合は、認証ゲートＧの通過を拒否するよう設定する。例えば、ブラックリスト１５に登録する顔画像に、ゲート通過拒否の情報を付与する。なお、制御部１２は、不審行動の人物の顔画像がブラックリスト１５に登録されていると判定すると、実施形態１と同様に、かかる人物の要求行為に対する拒否設定を行う。
【００３９】
上記認証部１３は、認証ゲートＧに設置されたカードリーダＲにて、認証ゲートＧを通過しようとする人物から提示された認証カードＤを読み取る。認証カードＤには、装備された記憶装置に人物の識別情報が記憶されており、認証部１３は、読み取った識別情報が事前に登録されているか否かの認証を行って、認証ゲートＧの開閉を行う。このとき、認証部１３は、認証カードＤから読み取った識別情報が、ブラックリスト１５内の情報のうち、ゲート通過拒否の情報が付与された識別情報と一致するか否かを判定する。認証部１３は、認証カードＤから読み取った識別情報が、ゲート通過拒否の情報が付与された識別情報と一致する場合には、かかる人物の通過を拒否するよう認証ゲートＧを開かずに閉じたままとする。つまり、認証部１３は、認証カードＤから読み取った識別情報の人物が、仮に認証ゲートＧを通過する権限を有していたとしても、ブラックリスト１５内でゲート通過拒否と設定されている場合には、認証ゲートＧを閉じたままとする。これにより、該当する人物は、認証ゲートＧを通過して、所定領域への入場や所定領域からの退場が拒否されることとなる。
【００４０】
［動作］
次に、上述した制御サーバ１の動作を、図７乃至図８のフローチャートを参照して説明する。
【００４１】
まず、制御サーバ１は、監視カメラＣ１にて撮影された撮影画像を解析して、不審行動の人物を検出する（ステップＳ２１）。制御サーバ１は不審行動の人物を検出すると（ステップＳ２２でＹｅｓ）、当該人物の顔領域を特定し、顔画像の特徴量を抽出する（ステップＳ２３）。
【００４２】
制御サーバ１は、不審行動の人物の顔画像の特徴量から、当該人物の顔画像がブラックリスト１５及びホワイトリスト１６に登録されているか否かを判定する（ステップＳ２４）。ホワイトリスト１６に登録がある場合には（ステップＳ２４でＹｅｓ）、ホワイトリスト１６内の情報を削除し、ブラックリスト１５に登録すると共に、認証ゲートＧに対するゲート通過拒否の情報を付与する（ステップＳ２５）。併せて、事前に設定された装置に対して不審行動の人物が存在していたことのアラートを出力する（ステップＳ２６）。なお、不審行動の人物がブラックリスト１５に登録されていた場合には、実施形態１と同様の処理を行うこととする。
【００４３】
一方で、認証ゲートＧでは、カードリーダＲにてゲートに向かう人物の認証カードＤから識別情報を読み取り、かかる識別情報が事前に登録されているか否かの認証を行っている（ステップＳ３１）。そして、制御サーバ１は、読み取った識別情報がホワイトリスト１６に登録されている場合には（ステップＳ３２でホワイトリスト）、認証ゲートをオープンする（ステップＳ３３）。一方、制御サーバ１は、読み取った識別情報がブラックリスト１５に登録され、ゲート通過拒否の情報が付与されている場合には（ステップＳ３２でブラックリスト）、かかる人物の通過を拒否するよう、認証ゲートＧを開かずにロックする（ステップＳ３４）。なお、読み取った識別情報がブラックリスト１５に登録され、ゲート通過拒否の情報が付与されていない場合には、認証ゲートをオープンする。
【００４４】
上記の例では、ホワイトリスト１６及びブラックリスト１５への登録は、認証ゲートＧにおける認証許可対象とは関係が無いが、ホワイトリスト１６に認証ゲートＧの通過許可人物を登録し、ブラックリスト１５に認証ゲートＧの認証拒否人物を登録してもよい。この場合には、上述したように、識別情報に付与するゲート通過拒否の情報は不要であり、不審行動を行った人物をホワイトリスト１６からブラックリスト１５に登録を変更するだけでよい。これにより、認証部１３は、通過しようとする人物がホワイトリスト１６に登録されていれば通過許可とし、ブラックリスト１５に登録されていれば通過拒否とする。
【００４５】
また、上記では、ブラックリスト１５とホワイトリスト１６とを備える構成を例示したが、ホワイトリスト１６だけを備えてもよい。例えば、ホワイトリスト１６の人物に与えられる権限は、認証ゲートＧの通過許可であってもよい。この場合であっても、制御部１２は、不審行動の人物の識別情報がホワイトリスト１６に登録されていると判定すると、ホワイトリスト１６に登録したまま、かかる人物の要求行為に対する拒否設定を行う。つまり、ホワイトリスト１６に登録されている識別情報にゲート通過拒否の情報を付与することで、認証ゲートＧを通過する権限を無効とし、結果として認証カードＤ（許可証）を無効とする。
【００４６】
すると、上記認証部１３は、認証カードＤから読み取った識別情報が、ホワイトリスト１６内のうちゲート通過拒否の情報が付与された識別情報と一致する場合には、かかる人物に対して人物の通過を拒否するよう、認証ゲートＧを開かずに閉じたままとする。つまり、認証部１３は、撮影した顔画像の人物が、仮に認証ゲートＧを通過する権限を有するホワイトリスト１６に登録されていたとしても、ゲート通過拒否と設定されている場合には、認証ゲートＧを閉じたままとする。これにより、該当する人物は、認証ゲートＧを通過できず、所定領域への入場や所定領域からの退場が拒否されることとなる。
【００４７】
以上のように、本発明によると、不審行動の人物が予め用意された登録リストに登録されている場合には、かかる人物に対してゲート通過を拒否するよう制御するなど、かかる人物による要求行為に対して拒否を行う。これにより、不審行動を行った人物のさらなる行動を迅速に抑止することができ、セキュリティや安全性の向上を図ることができる。
【００４８】
＜実施形態３＞
次に、本発明の第３の実施形態を、図９を参照して説明する。図９は、情報処理システムの動作を説明するための図である。
【００４９】
［構成］
本発明における情報処理システムは、上述した実施形態２におけるシステムとほぼ同様の構成である。但し、本実施形態では、登録リストに対する処理が異なる。以下、主に異なる構成について詳述する。
【００５０】
まず、本実施形態における情報処理システムは、実施形態２の情報処理システムと同様に、図５に示すように、特定エリアＡを監視する監視カメラＣ１と、制御サーバ１と、所定領域への入退口である認証ゲートＧと、かかる認証ゲートＧを通過する人物の認証カードＤを読み取るカードリーダＲと、を備える。以下、各構成について詳述する。
【００５１】
上記制御サーバ１は、実施形態２とほぼ同様の構成を有しており、図６に示すように、演算装置がプログラムを実行することで構築された、検出部１１（検出手段）、制御部１２（制御手段）、認証部１３を備えている。また、制御サーバ１は、記憶装置に形成された、ブラックリストを登録する登録リスト１５（第２の登録リスト）と、ホワイトリストを登録する登録リスト１６（第１の登録リスト）と、を備えている。
【００５２】
上記登録リストのうちブラックリスト１５は、予め要注意人物として認定された人物の顔画像情報（第１の生体情報）を、当該人物の識別情報と共に登録している。これに加え、ブラックリスト１５は、後に不審行動を取ることにより要注意人物として認定された人物の顔画像情報とは異なる生体情報（第２の生体情報）、例えば、体格情報といった生体情報を登録することとなる。なお、ブラックリスト１５に登録される顔画像情報とは異なる生体情報は、撮影画像から抽出できる人物の生体情報であればいかなる情報であってもよい。
【００５３】
一方、登録リストのうちホワイトリスト１６は、実施形態２と同様に、認証ゲートＧを通過する権限といった、他の装置やシステムに関する何らかの権限を有する人物の顔画像情報を、当該人物の識別情報と共に登録している。
【００５４】
なお、ブラックリスト１５とホワイトリスト１６に登録される上記顔画像情報は、顔画像そのものであってもよく、当該顔画像から抽出された特徴量であってもよい。但し、登録リスト１５，１６に登録される上記顔画像情報（第１の生体情報）は、人物の他の生体情報であってもよく、この場合、ブラックリスト１５に登録されるもう１つの生体情報（第２の生体情報）は、人物のさらに異なる生体情報である。
【００５５】
上記制御部１２は、まず、撮影画像から当該撮影画像に映る人物の顔画像を抽出し、当該顔画像の特徴量を抽出する。このとき、制御部１２は、撮影画像内の人物の顔画像の特徴量とは異なる体格情報といった他の生体情報も抽出する。そして、制御部１２は、抽出した顔画像あるいは体格情報が、ブラックリスト１５内の顔画像あるいは体格情報と一致するか否か、を判定する。制御部１２は、撮影画像内の顔画像や体格情報がブラックリスト１５内のものと一致したと判定した場合には、アラートを出力する処理を行う。例えば、上述したように抽出した人物が映る監視カメラの位置を、当該人物の現在位置として周囲に報知する。
【００５６】
また、上記制御部１２は、上述同様に検出部１１にて不審行動の人物が検出されると、その撮影画像を取得するが、かかる撮影画像から不審行動の人物の顔画像を抽出し、当該顔画像の特徴量を抽出する。このとき、制御部１２が、不審行動の人物が撮影された撮影画像から、当該人物の顔画像を抽出できない、あるいは、顔画像の特徴量を抽出できないこともある。例えば、人物が監視カメラＣ１を向いていなかったため顔を撮影できなかったり、顔画像が不鮮明な場合などが考えられる。その場合に、制御部１２は、不審行動の人物の撮影画像から、顔画像の特徴量（第１の生体情報）とは異なる体格情報といった生体情報（第２の生体情報）を抽出する。
【００５７】
そして、制御部１２は、抽出した体格情報を、ブラックリスト１５に登録する。これにより、制御部１２は、上述したように撮影画像に映る人物の顔画像を抽出できない場合であっても、不審行動を取った人物の体格情報を抽出できれば、ブラックリスト１５の登録者としてアラートを出力することができる。
【００５８】
なお、制御部１２は、不審行動を取った人物の顔画像情報が抽出できた場合には、実施形態１及び実施形態２で説明したように、かかる人物の顔画像がブラックリスト１５やホワイトリスト１６に登録されているか否かの判定を行う。そして、不審行動を取った人物から抽出した顔画像がブラックリスト１５やホワイトリスト１６に登録されている場合には、上記実施形態１，２で説明したようなかかる人物の要求行為に対する拒否設定を行う。
【００５９】
また、制御部１２はさらに、不審行動を取った人物の顔画像情報が抽出できた場合であっても、かかる人物の顔画像がブラックリスト１５やホワイトリスト１６に登録されていない場合には、当該顔画像情報とは異なる別の生体情報を抽出して、ブラックリスト１５に登録する。
【００６０】
［動作］
次に、上述した制御サーバ１の動作を、図９のフローチャートを参照して説明する。
【００６１】
まず、制御サーバ１は、監視カメラＣ１にて撮影された撮影画像を解析する（ステップＳ４１）。このとき、撮影画像に映る人物の顔特徴量や他の特徴量である体格情報といった生体情報を抽出できる場合には（ステップＳ４２でＹｅｓ）、かかる生体情報である特徴量を抽出する（ステップＳ４３）。
【００６２】
そして、制御サーバ１は、抽出した顔画像あるいは体格情報が、ブラックリスト１５に登録されている顔画像あるいは体格情報と一致するか否かを判定する（ステップＳ４４）。制御サーバ１は、撮影画像内の人物の顔画像や体格情報がブラックリスト１５内のものと一致したと判定した場合には（ステップＳ４４でＹｅｓ）、アラートを出力する処理を行う（ステップＳ４５）。
【００６３】
また、制御サーバ１は、上述した処理と共に、撮影画像から不審行動の人物を検出する（ステップＳ４６）。制御サーバ１は不審行動の人物を検出すると（ステップＳ４６でＹｅｓ）、当該人物の顔領域を特定し、顔画像の特徴量を抽出する（ステップＳ４７）。制御サーバ１は、不審行動の人物の顔画像の特徴量を抽出できた場合には（ステップＳ４７でＹｅｓ）、当該人物の顔画像がホワイトリスト１６に登録されているか否かを判定する（ステップＳ４８）。ホワイトリスト１６に登録がある場合には（ステップＳ４８でＹｅｓ）、実施形態２と同様にかかる人物からの要求行為に対して拒否するよう処理を行う（ステップＳ４９）。このとき、制御サーバ１は、不審行動の人物がブラックリスト１５に登録されているか否かも調べ、ブラックリスト１５に登録されていた場合には、実施形態１と同様にかかる人物からの要求行為に対して拒否するよう処理を行ってもよい。
【００６４】
一方で、制御サーバ１は、不審行動を取った人物の顔画像が撮影画像に映っていないなど、当該人物の顔画像の特徴量を抽出できない場合には（ステップＳ４７でＮｏ）、不審行動の人物の撮影画像から、体格情報などの別の生体情報を抽出する（ステップＳ５０）。そして、制御サーバ１は、抽出した体格情報を、ブラックリスト１５に登録する（ステップＳ５１）。なお、制御サーバ１は、不審行動をとった人物の顔画像を抽出できた場合であっても、かかる顔画像がホワイトリスト１６やブラックリスト１５に登録されていない場合には、上述同様に、かかる人物の体格情報などの別の生体情報を抽出して、ブラックリスト１５に登録する。
【００６５】
以上のように、不審行動を取った人物の顔画像の特徴量とは異なる生体情報をブラックリスト１５に登録しておくことで、撮影画像から人物の顔画像を抽出できない場合であっても、不審行動を取った人物の他の生体情報を抽出できれば、ブラックリスト１５の登録者としてアラートを出力することができる。このため、セキュリティや安全性の向上を図ることができる。
【００６６】
＜実施形態４＞
次に、本発明の第４の実施形態を、図１０を参照して説明する。図１０は、実施形態４における情報処理システムの構成を示すブロック図である。なお、本実施形態では、実施形態３で説明した情報処理システムの構成の概略を示している。
【００６７】
図１０に示すように、本実施形態における情報処理システム１００は、
人物の生体情報を記憶した登録リスト１１０と、
カメラにて撮影した撮影画像から特定行動の人物を検出する検出手段１２０と、
検出された特定行動の人物の生体情報を前記撮影画像から抽出し、当該抽出した生体情報の前記登録リストに対する登録状況に応じて、検出された特定行動の人物から他の生体情報を抽出して前記登録リストに登録する処理を行う制御手段１３０と、
を備える。
【００６８】
上記発明によると、まず、カメラにて撮影した撮影画像から、予め定められた不審ととらえられる特定行動の人物が検出されると、かかる人物の顔画像といった生体情報が登録リストに登録されているか調べる。このとき、不審行動の人物が撮影された撮影画像から当該人物の顔画像を抽出できないことにより登録リストに登録がない、あるいは、顔画像を抽出できたが登録リストに登録がない、という場合がある。かかる場合には、不審行動の人物の撮影画像から、登録リストと照合する生体情報とは異なる他の生体情報を抽出して登録リストに登録する処理を行う。これにより、不審行動を行った人物の他の生体情報を用いて後に登録リストとの照合を行うことができるため、不審者の行動を抑止することができ、セキュリティや安全性の向上を図ることができる。
【００６９】
また、本実施形態は、以下の構成でもよく、かかる情報処理システム１００は実施形態１，２で説明した情報処理システムの構成の概略を示している。
図１０に示すように、本実施形態おける情報処理システム１００は、
人物の生体情報を記憶した登録リスト１１０と、
カメラにて撮影した撮影画像から特定行動の人物を検出する検出手段１２０と、
検出された人物の生体情報を前記撮影画像から抽出し、当該抽出した生体情報の前記登録リストに対する登録状況に応じて、検出された人物の要求行為に対して拒否を行うよう所定の制御を行う制御手段１３０と、
を備える。
【００７０】
上記発明によると、まず、カメラにて撮影した撮影画像から、予め定められた不審ととらえられる特定行動の人物が検出されると、かかる人物の顔画像といった生体情報が登録リストに登録されているか調べる。そして、検出された人物の登録リストに対する登録状況に応じて、人物の要求行為に対して拒否を行うよう所定の制御を行う。例えば、登録リストがブラックリストである場合には、検出された人物が、生体情報を用いた認証システムによって開閉される認証ゲートを通過して所定領域に対して入出しようとしたときに、認証処理を失敗とし、認証ゲートが開かないよう制御して所定領域に対する入出を拒否するよう制御する。これにより、不審者の行動を迅速に抑止することができ、セキュリティや安全性の向上を図ることができる。
【００７１】
＜付記＞
上記実施形態の一部又は全部は、以下の付記のようにも記載されうる。以下、本発明における情報処理システム、プログラム、制御方法の構成の概略を説明する。但し、本発明は、以下の構成に限定されない。
【００７２】
（付記１）
人物の生体情報を記憶した登録リストと、
カメラにて撮影した撮影画像から特定行動の人物を検出する検出手段と、
検出された特定行動の人物の生体情報を前記撮影画像から抽出し、当該抽出した生体情報の前記登録リストに対する登録状況に応じて、検出された特定行動の人物から他の生体情報を抽出して前記登録リストに登録する処理を行う制御手段と、
を備えた情報処理システム。
【００７３】
（付記２）
付記１に記載の情報処理システムであって、
前記制御手段は、検出された特定行動の人物から前記登録リストと照合するための第１の生体情報を抽出できなかった場合に、検出した特定行動の人物から前記第１の生体情報とは異なる第２の生体情報を抽出して当該第２の生体情報を前記登録リストに登録する、
情報処理システム。
【００７４】
（付記３）
付記１又は２に記載の情報処理システムであって、
前記登録リストは、第１の登録リストと第２の登録リストとを有し、
前記制御手段は、
検出された特定行動の人物から抽出した前記第１の生体情報が前記第１の登録リストに登録されていない場合に、検出された特定行動の人物から前記第１の生体情報とは異なる第２の生体情報を抽出して当該第２の生体情報を前記第２の登録リストに登録する、
情報処理システム。
【００７５】
（付記４）
付記３に記載の情報処理システムであって、
前記制御手段は、前記撮影画像から人物の前記第１の生体情報及び前記第２の生体情報を抽出し、前記第１の生体情報あるいは前記第２の生体情報が前記第２の登録リストに登録されている場合に、所定のアラート処理を行う、
情報処理システム。
【００７６】
（付記５）
付記３又は４に記載の情報処理システムであって、
前記制御手段は、前記第１の生体情報として、人物の顔画像に基づく特徴量を抽出し、前記第２の生体情報として、人物の顔画像に基づく特徴量とは異なる生体情報を抽出する、
情報処理システム。
【００７７】
（付記６）
付記３乃至５のいずれかに記載の情報処理システムであって、
前記制御手段は、検出された特定行動の人物から抽出した生体情報が前記第１の登録リストに登録されている場合に、当該人物の要求行為に対して拒否を行うよう所定の制御を行う、
情報処理システム。
【００７８】
（付記６．１）
人物の生体情報を記憶した登録リストと、
カメラにて撮影した撮影画像から特定行動の人物を検出する検出手段と、
検出された特定行動の人物の生体情報を前記撮影画像から抽出し、当該抽出した生体情報の前記登録リストに対する登録状況に応じて、検出された人物の要求行為に対して拒否を行うよう所定の制御を行う制御手段と、
を備えた情報処理システム。
【００７９】
（付記６．２）
付記６又は６．１に記載の情報処理システムであって、
前記制御手段は、検出された特定行動の人物から抽出した生体情報が前記第１の登録リストに登録されている場合に、当該人物が所定領域に対して入場及び／又は退場することを拒否するよう所定の制御を行う、
情報処理システム。
【００８０】
（付記６．３）
付記６乃至６．２のいずれかに記載の情報処理システムであって、
前記制御手段は、検出された特定行動の人物から抽出した生体情報が前記第１の登録リストに登録されている場合に、生体情報を用いて認証処理を行う認証システムが、検出した特定行動の人物から抽出した生体情報を用いた認証処理を失敗とするよう当該認証システムを制御する、
情報処理システム。
【００８１】
（付記６．４）
付記６．３に記載の情報処理システムであって、
前記制御手段は、検出された特定行動の人物から抽出した生体情報が前記第１の登録リストに登録されている場合に、前記認証システムが、検出した特定行動の人物から抽出した生体情報を用いた認証処理を失敗とするよう当該認証システムを制御すると共に、当該認証システムによる認証処理の結果に応じて開閉される認証ゲートが開かないよう制御する、
情報処理システム。
【００８２】
（付記７）
付記６乃至６．４のいずれかに記載の情報処理システムであって、
前記制御手段は、検出された特定行動の人物から抽出した生体情報が前記第１の登録リストに登録されている場合に、当該人物の生体情報を前記第１の登録リストから削除して前記第２の登録リストに登録する、
情報処理システム。
【００８３】
（付記８）
付記６乃至７のいずれかに記載の情報処理システムであって、
前記制御手段は、検出された特定行動の人物から抽出した生体情報が前記第１の登録リストに登録されている場合に、当該人物に関連付けられた権限を無効とする制御を行う、
情報処理システム。
【００８４】
（付記８．１）
付記８に記載の情報処理システムであって、
前記制御手段は、検出された人物から抽出した生体情報が前記第１の登録リストに登録されている場合に、当該人物に関連付けられて発行された許可証を無効とする制御を行う、
情報処理システム。
【００８５】
（付記９）
情報処理装置に、
カメラにて撮影した撮影画像から特定行動の人物を検出する検出手段と、
検出された特定行動の人物の生体情報を前記撮影画像から抽出し、当該抽出した生体情報の前記登録リストに対する登録状況に応じて、検出された特定行動の人物から他の生体情報を抽出して前記登録リストに登録する処理を行う制御手段と、
を実現させるためのプログラム。
【００８６】
（付記１０）
付記９に記載のプログラムであって、
前記制御手段は、検出された特定行動の人物から前記登録リストと照合するための第１の生体情報を抽出できなかった場合に、検出した特定行動の人物から前記第１の生体情報とは異なる第２の生体情報を抽出して当該第２の生体情報を前記登録リストに登録する、
プログラム。
【００８７】
（付記１１）
人体の生体情報を記憶した登録リストを有する情報処理装置が、
カメラにて撮影した撮影画像から特定行動の人物を検出し、
検出された特定行動の人物の生体情報を前記撮影画像から抽出し、当該抽出した生体情報の前記登録リストに対する登録状況に応じて、検出された特定行動の人物から他の生体情報を抽出して前記登録リストに登録する処理を行う、
制御方法。
【００８８】
（付記１２）
付記１１に記載の制御方法であって、
検出された特定行動の人物から前記登録リストと照合するための第１の生体情報を抽出できなかった場合に、検出した特定行動の人物から前記第１の生体情報とは異なる第２の生体情報を抽出して当該第２の生体情報を前記登録リストに登録する、
制御方法。
【００８９】
（付記１３）
付記１１又は１２に記載の制御方法であって、
前記登録リストは、第１の登録リストと第２の登録リストとを有し、
検出された特定行動の人物から抽出した前記第１の生体情報が前記第１の登録リストに登録されていない場合に、検出された特定行動の人物から前記第１の生体情報とは異なる第２の生体情報を抽出して当該第２の生体情報を前記第２の登録リストに登録する、
制御方法。
【００９０】
（付記１４）
付記１３に記載の制御方法であって、
前記撮影画像から人物の前記第１の生体情報及び前記第２の生体情報を抽出し、前記第１の生体情報あるいは前記第２の生体情報が前記第２の登録リストに登録されている場合に、所定のアラート処理を行う、
制御方法。
【００９１】
（付記１５）
付記１３又は１４に記載の制御方法であって、
前記第１の生体情報として、人物の顔画像に基づく特徴量を抽出し、前記第２の生体情報として、人物の顔画像に基づく特徴量とは異なる生体情報を抽出する、
情報処理システム。
【００９２】
（付記１６）
付記１３乃至１５のいずれかに記載の制御方法であって、
検出された特定行動の人物から抽出した生体情報が前記第１の登録リストに登録されている場合に、当該人物の要求行為に対して拒否を行うよう所定の制御を行う、
制御方法。
【００９３】
（付記１７）
人物の生体情報を記憶した登録リストを有する情報処理装置が、
カメラにて撮影した撮影画像から特定行動の人物を検出し、
検出された特定行動の人物の生体情報を前記撮影画像から抽出し、当該抽出した生体情報の前記登録リストに対する登録状況に応じて、検出された人物の要求行為に対して拒否を行うよう所定の制御を行う、
制御方法。
【００９４】
（付記１８）
付記１３乃至１７のいずれかに記載の制御方法であって、
検出された特定行動の人物から抽出した生体情報が前記第１の登録リストに登録されている場合に、当該人物の生体情報を前記第１の登録リストから削除して前記第２の登録リストに登録する、
制御方法。
【００９５】
（付記１９）
付記１６乃至１８のいずれかに記載の制御方法であって、
検出された特定行動の人物から抽出した生体情報が前記第１の登録リストに登録されている場合に、当該人物に関連付けられた権限を無効とする制御を行う、
制御方法。
【００９６】
（付記２０）
付記１９に記載の制御方法であって、
検出された人物から抽出した生体情報が前記第１の登録リストに登録されている場合に、当該人物に関連付けられて発行された許可証を無効とする制御を行う、
制御方法。
【００９７】
（付記Ａ１）
人物の生体情報を記憶した登録リストと、
カメラにて撮影した撮影画像から特定行動の人物を検出する検出手段と、
検出された人物の生体情報を前記撮影画像から抽出し、当該抽出した生体情報の前記登録リストに対する登録状況に応じて、検出された人物の要求行為に対して拒否を行うよう所定の制御を行う制御手段と、
を備えた情報処理システム。
【００９８】
（付記Ａ２）
付記Ａ１に記載の情報処理システムであって、
前記制御手段は、検出された人物から抽出した生体情報が前記登録リストに登録されている場合に、当該人物が所定領域に対して入場及び／又は退場することを拒否するよう所定の制御を行う、
情報処理システム。
【００９９】
（付記Ａ３）
付記Ａ１又はＡ２に記載の情報処理システムであって、
前記制御手段は、検出された人物から抽出した生体情報が前記登録リストに登録されている場合に、生体情報を用いて認証処理を行う認証システムが、検出した人物から抽出した生体情報を用いた認証処理を失敗とするよう当該認証システムを制御する、
情報処理システム。
【０１００】
（付記Ａ４）
付記Ａ３に記載の情報処理システムであって、
前記制御手段は、検出された人物から抽出した生体情報が前記登録リストに登録されている場合に、前記認証システムが、検出した人物から抽出した生体情報を用いた認証処理を失敗とするよう当該認証システムを制御すると共に、当該認証システムによる認証処理の結果に応じて開閉される認証ゲートが開かないよう制御する、
情報処理システム。
【０１０１】
上記発明によると、まず、カメラにて撮影した撮影画像から、予め定められた不審ととらえられる特定行動の人物が検出されると、かかる人物の顔画像といった生体情報が登録リストに登録されているか調べる。そして、検出された人物の登録リストに対する登録状況に応じて、人物の要求行為に対して拒否を行うよう所定の制御を行う。例えば、登録リストがブラックリストである場合には、検出された人物が、生体情報を用いた認証システムによって開閉される認証ゲートを通過して所定領域に対して入出しようとしたときに、認証処理を失敗とし、認証ゲートが開かないよう制御して所定領域に対する入出を拒否するよう制御する。これにより、不審者の行動を迅速に抑止することができ、セキュリティや安全性の向上を図ることができる。
【０１０２】
（付記Ａ５）
付記Ａ１乃至Ａ４のいずれかに記載の情報処理システムであって、
前記登録リストは、第１の登録リストと第２の登録リストとを有し、
前記制御手段は、検出された人物から抽出した生体情報が前記第１の登録リストに登録されている場合に、当該人物の生体情報を前記第１の登録リストから削除して前記第２の登録リストに登録し、当該第２の登録リストに登録されている人物の要求行為に対して拒否を行うよう所定の制御を行う、
情報処理システム。
【０１０３】
（付記Ａ６）
付記Ａ１乃至Ａ５のいずれかに記載の情報処理システムであって、
前記登録リストは、関連付けられた権限が有効である人物の生体情報を記憶したホワイトリストを有し、
前記制御手段は、検出された人物から抽出した生体情報が前記ホワイトリストに登録されている場合に、当該人物に関連付けられた権限を無効とする制御を行う、
情報処理システム。
【０１０４】
（付記Ａ７）
付記Ａ６に記載の情報処理システムであって、
前記制御手段は、検出された人物から抽出した生体情報が前記ホワイトリストに登録されている場合に、当該人物に関連付けられて発行された許可証を無効とする制御を行う、
情報処理システム。
【０１０５】
上記発明によると、まず、カメラにて撮影した撮影画像から、予め定められた不審ととらえられる特定行動の人物が検出されると、かかる人物の顔画像といった生体情報がホワイトリストに登録されているか調べる。そして、検出された人物がホワイトリストに登録されている場合には、かかる人物をホワイトリストから削除してブラックリストに登録したり、かかる人物の許可証を無効とするなど与えられた権限を無効とする。これにより、ホワイトリストに登録されている人物であっても、不審行動を行った場合には、かかる人物の要求行為に対して拒否を行うよう所定の制御を行う。その結果、不審者のさらなる行動を迅速に抑止することができ、セキュリティや安全性の向上を図ることができる。
【０１０６】
（付記Ａ８）
情報処理装置に、
カメラにて撮影した撮影画像から特定行動の人物を検出する検出手段と、
検出された人物の生体情報を前記撮影画像から抽出し、当該抽出した生体情報の登録リストに対する登録状況に応じて、検出された人物の要求行為に対して拒否を行うよう所定の制御を行う制御手段と、
を実現させるためのプログラム。
【０１０７】
（付記Ａ８．１）
付記Ａ８に記載のプログラムであって、
前記制御手段は、検出された人物から抽出した生体情報が前記登録リストに登録されている場合に、当該人物が所定領域に対して入場及び／又は退場することを拒否するよう所定の制御を行う、
プログラム。
【０１０８】
（付記Ａ８．２）
付記Ａ８又はＡ８．１に記載のプログラムであって、
前記制御手段は、検出された人物から抽出した生体情報が前記登録リストに登録されている場合に、生体情報を用いて認証処理を行う認証システムが、検出した人物から抽出した生体情報を用いた認証処理を失敗とするよう当該認証システムを制御する、
プログラム。
【０１０９】
（付記Ａ８．３）
付記Ａ８．２に記載のプログラムであって、
前記制御手段は、検出された人物から抽出した生体情報が前記登録リストに登録されている場合に、前記認証システムが、検出した人物から抽出した生体情報を用いた認証処理を失敗とするよう当該認証システムを制御すると共に、当該認証システムによる認証処理の結果に応じて開閉される認証ゲートが開かないよう制御する、
プログラム。
【０１１０】
（付記Ａ８．４）
付記Ａ８乃至Ａ８．３のいずれかに記載のプログラムであって、
前記登録リストは、第１の登録リストと第２の登録リストとを有し、
前記制御手段は、検出された人物から抽出した生体情報が前記第１の登録リストに登録されている場合に、当該人物の生体情報を前記第１の登録リストから削除して前記第２の登録リストに登録し、当該第２の登録リストに登録されている人物の要求行為に対して拒否を行うよう所定の制御を行う、
プログラム。
【０１１１】
（付記Ａ８．５）
付記Ａ８乃至Ａ８．４のいずれかに記載のプログラムであって、
前記登録リストは、関連付けられた権限が有効である人物の生体情報を記憶したホワイトリストを有し、
前記制御手段は、検出された人物から抽出した生体情報が前記ホワイトリストに登録されている場合に、当該人物に関連付けられた権限を無効とする制御を行う、
プログラム。
【０１１２】
（付記Ａ８．６）
付記Ａ８．５に記載のプログラムであって、
前記制御手段は、検出された人物から抽出した生体情報が前記ホワイトリストに登録されている場合に、当該人物に関連付けられて発行された許可証を無効とする制御を行う、
プログラム。
【０１１３】
（付記Ａ９）
カメラにて撮影した撮影画像から特定行動の人物を検出し、
検出された人物の生体情報を前記撮影画像から抽出し、当該抽出した生体情報の登録リストに対する登録状況に応じて、検出された人物の要求行為に対して拒否を行うよう所定の制御を行う、
制御方法。
【０１１４】
（付記Ａ９．１）
付記Ａ９に記載の制御方法であって、
検出された人物から抽出した生体情報が前記登録リストに登録されている場合に、当該人物が所定領域に対して入場及び／又は退場することを拒否するよう所定の制御を行う、
制御方法。
【０１１５】
（付記Ａ９．２）
付記Ａ９又はＡ９．１に記載の制御方法であって、
検出された人物から抽出した生体情報が前記登録リストに登録されている場合に、生体情報を用いて認証処理を行う認証システムが、検出した人物から抽出した生体情報を用いた認証処理を失敗とするよう当該認証システムを制御する、
制御方法。
【０１１６】
（付記Ａ９．３）
付記Ａ９．２に記載の制御方法であって、
検出された人物から抽出した生体情報が前記登録リストに登録されている場合に、前記認証システムが、検出した人物から抽出した生体情報を用いた認証処理を失敗とするよう当該認証システムを制御すると共に、当該認証システムによる認証処理の結果に応じて開閉される認証ゲートが開かないよう制御する、
制御方法。
【０１１７】
（付記Ａ９．４）
付記Ａ９乃至Ａ９．３のいずれかに記載の制御方法であって、
前記登録リストは、第１の登録リストと第２の登録リストとを有し、
検出された人物から抽出した生体情報が前記第１の登録リストに登録されている場合に、当該人物の生体情報を前記第１の登録リストから削除して前記第２の登録リストに登録し、当該第２の登録リストに登録されている人物の要求行為に対して拒否を行うよう所定の制御を行う、
制御方法。
【０１１８】
（付記Ａ９．５）
付記Ａ９乃至Ａ９．４のいずれかに記載の制御方法であって、
前記登録リストは、関連付けられた権限が有効である人物の生体情報を記憶したホワイトリストを有し、
検出された人物から抽出した生体情報が前記ホワイトリストに登録されている場合に、当該人物に関連付けられた権限を無効とする制御を行う、
制御方法。
【０１１９】
（付記Ａ９．６）
付記Ａ９．５に記載の制御方法であって、
前記制御手段は、検出された人物から抽出した生体情報が前記ホワイトリストに登録されている場合に、当該人物に関連付けられて発行されたＩＤカードを無効とする制御を行う、
制御方法。
【０１２０】
なお、上述したプログラムは、記憶装置に記憶されていたり、コンピュータが読み取り可能な記録媒体に記録されている。例えば、記録媒体は、フレキシブルディスク、光ディスク、光磁気ディスク、及び、半導体メモリ等の可搬性を有する媒体である。
【０１２１】
以上、上記実施形態等を参照して本願発明を説明したが、本願発明は、上述した実施形態に限定されるものではない。本願発明の構成や詳細には、本願発明の範囲内で当業者が理解しうる様々な変更をすることができる。
【符号の説明】
【０１２２】
１  制御サーバ
１１  検出部
１２  制御部
１３  認証部
１５  登録リスト（ブラックリスト）
１６  登録リスト（ホワイトリスト）
１００  情報処理システム
１１０  登録リスト
１２０  検出手段
１３０  制御手段
Ａ  特定エリア
Ｃ１  監視カメラ
Ｃ２  認証カメラ
Ｄ  認証カード
Ｇ  認証ゲート
Ｒ  カードリーダ
【図１】
2019087932.tif 000003
【図２】
2019087932.tif 000004
【図３】
2019087932.tif 000005
【図４】
2019087932.tif 000006
【図５】
2019087932.tif 000007
【図６】
2019087932.tif 000008
【図７】
2019087932.tif 000009
【図８】
2019087932.tif 000010
【図９】
2019087932.tif 000011
【図１０】
2019087932.tif 000012